(57)【要約】【解決手段】既存のセルラ通信システムインフラストラクチャにおいて、ポイントツーマルチポイント通信サービスおよびポイントツーポイント通信サービスの両方を可能にするために、セルラ通信システムインフラストラクチャにおいて、ポイントツーマルチポイントサービスのための割当てられたチャネルの使用に関連するチャネル管理およびオーバーヘッド機能のための装置およびシステムが記載される。【選択図】図１
2004531937.tif 000002
【特許請求の範囲】
【請求項１】
下記を具備する通信システムにおけるチャネル管理のための方法：
アクティブ期間中に少なくとも１つの順方向リンク共有チャネルを、グループに属する加入者局に割当てる；および
サイレンと期間中に少なくとも１つの順方向リンクチャネルを前記加入者局に割当てる。
【請求項２】
サイレント期間中に少なくとも１つの順方向リンクチャネルを前記加入者局に割当てる前記工程は、サイレント期間中に少なくとも１つの順方向リンクチャネルを前記加入者局に割当てることを具備し；前記少なくとも１つの順方向リンクチャネルは、ポイントーツーポイントサービスおよびポイントツーマルチポイントサービスに関連する情報によって変調される、請求項１に請求される方法。
【請求項３】
サイレント期間中に少なくとも１つの順方向リンクチャネルを前記加入者局に割当てる前記工程は、
ポイントツーポイントサービスに関連する情報により変調される少なくとも１つの順方向リンクを割当てる；および
ポイントツーマルチポイントサービスに関連する情報により変調される少なくとも１つの順方向リンクを割当てる；
ことを具備する、請求項１に請求される方法。
【請求項４】
アクティブ期間中に少なくとも１つの順方向リンク共有チャネルを、グループに属する加入者局に割当てる前記工程は、
アクティブ期間中に少なくとも１つの順方向リンク共有チャネルを、グループに属する加入者局に割当てることを具備し、前記順方向リンク共有チャネルは、ユーザデータおよび制御データにより変調される、請求項１に請求される方法。
【請求項５】
アクティブ期間中に順方向リンク専用チャネルを前記加入者局の各々に割当てることをさらに具備する、請求項１に請求される方法。
【請求項６】
アクティブ期間中に少なくとも１つの順方向リンク共有チャネルを、グループに属する加入者局に割当てる前記工程は、
アクティブ期間中に少なくとも１つの順方向リンク共有チャネルを、グループに属する加入者局に割当てることを具備し；前記順方向リンク共有チャネルはユーザデータにより変調される；およびアクティブ期間中に順方向リンク専用チャネルを前記加入者局の各々に割当てることは、
アクティブ期間中に順方向リンク専用チャネルを前記加入者局の各々に割当てることを具備し、前記順方向リンク専用チャネルは、制御データにより変調される、請求項５に請求される方法。
【請求項７】
下記を具備する通信システムにおけるチャネル管理のための方法：
アクティブ期間中に少なくとも１つの逆方向リンク専用チャネルをグループに属する各加入者局に割当てる；および
前記グループに属するアクティブ加入者局により、ユーザデータおよび制御データにより、前記少なくとも１つの逆方向リンク専用チャネルを変調する。
【請求項８】
前記グループに属する受動加入者局により制御データにより前記少なくとも１つの逆方向リンク専用チャネルを変調することをさらに具備する、請求項７に請求される方法。
【請求項９】
下記を具備する、通信システムにおけるチャネル管理のための方法：
少なくとも１つの逆方向リンク専用チャネルをグループに属するアクティブ加入者局に割当てる；および
少なくとも１つの逆方向リンク共通チャネルをグループに属する受動加入者局に割当てる。
【請求項１０】
前記少なくとも１つの逆方向リンク専用チャネルをユーザデータおよび制御データにより変調することをさらに具備する、請求項９の方法。
【請求項１１】
前記少なくとも１つの逆方向リンク共通チャネルを制御データにより変調することをさらに具備する、請求項９に請求される方法。
【請求項１２】
前記少なくとも１つの逆方向リンク共通チャネルを、逆方向リンクチャネル割当てのための要求により変調し；および
前記割当てられた逆方向リンクを制御データにより変調することをさらに具備する、請求項９に請求される方法。
【請求項１３】
下記を具備する、通信システムにおけるチャネル管理のための装置：
アクティブ期間中に少なくとも１つの順方向リンク共有チャネルを、グループに属する加入者局に割当てる手段；および
サイレンと期間中に少なくとも１つの順方向リンクチャネルを前記加入者局に割当てる手段。
【請求項１４】
前記サイレント期間中に少なくとも１つの順方向リンクチャネルを前記加入者局に割当てる手段は、サイレント期間中に少なくとも１つの順方向リンクチャネルを前記加入者局に割当てる手段を具備し；前記少なくとも１つの順方向リンクチャネルは、ポイントーツーポイントサービスおよびポイントツーマルチポイントサービスに関連する情報によって変調される、請求項１３に請求される装置。
【請求項１５】
前記サイレント期間中に少なくとも１つの順方向リンクチャネルを前記加入者局に割当てる手段は、
ポイントツーポイントサービスに関連する情報により変調される少なくとも１つの順方向リンクを割当てる手段；および
ポイントツーマルチポイントサービスに関連する情報により変調される少なくとも１つの順方向リンクを割当てる手段；
を具備する、請求項１３に請求される装置。
【請求項１６】
前記アクティブ期間中に少なくとも１つの順方向リンク共有チャネルを、グループに属する加入者局に割当てる手段は、
アクティブ期間中に少なくとも１つの順方向リンク共有チャネルを、グループに属する加入者局に割当てる手段を具備し、前記順方向リンク共有チャネルは、ユーザデータおよび制御データにより変調される、請求項１３に請求される装置。
【請求項１７】
アクティブ期間中に順方向リンク専用チャネルを前記加入者局の各々に割当てる手段をさらに具備する、請求項１３に請求される装置。
【請求項１８】
前記アクティブ期間中に少なくとも１つの順方向リンク共有チャネルを、グループに属する加入者局に割当てる手段は、
アクティブ期間中に少なくとも１つの順方向リンク共有チャネルを、グループに属する加入者局に割当てる手段を具備し；前記順方向リンク共有チャネルはユーザデータにより変調される；およびアクティブ期間中に順方向リンク専用チャネルを前記加入者局の各々に割当てる手段は、
アクティブ期間中に順方向リンク専用チャネルを前記加入者局の各々に割当てる手段を具備し、前記順方向リンク専用チャネルは、制御データにより変調される、請求項１７に請求される装置。
【請求項１９】
下記を具備する通信システムにおけるチャネル管理のための装置：
アクティブ期間中に少なくとも１つの逆方向リンク専用チャネルをグループに属する各加入者局に割当てる手段；および
前記グループに属するアクティブ加入者局により、ユーザデータおよび制御データにより、前記少なくとも１つの逆方向リンク専用チャネルを変調する手段。
【請求項２０】
前記グループに属する受動加入者局により制御データにより前記少なくとも１つの逆方向リンク専用チャネルを変調する手段をさらに具備する、請求項１９に請求される装置。
【請求項２１】
下記を具備する、通信システムにおけるチャネル管理のための装置：
少なくとも１つの逆方向リンク専用チャネルをグループに属するアクティブ加入者局に割当てる手段；および
少なくとも１つの逆方向リンク共通チャネルをグループに属する受動加入者局に割当てる手段。
【請求項２２】
前記少なくとも１つの逆方向リンク専用チャネルをユーザデータおよび制御データにより変調する手段をさらに具備する、請求項２１の装置。
【請求項２３】
前記少なくとも１つの逆方向リンク共通チャネルを制御データにより変調する手段をさらに具備する、請求項２１に請求される装置。
【請求項２４】
前記少なくとも１つの逆方向リンク共通チャネルを、逆方向リンクチャネル割当てのための要求により変調する手段；および
前記割当てられた逆方向リンクを制御データにより変調する手段をさらに具備する、請求項２１に請求される装置。
【請求項２５】
下記を具備する、通信システムにおけるチャネル管理のための装置：
アクティブ期間中に少なくとも１つの順方向リンク共有チャネルをグループに属する加入者局に割当て；および
サイレント期間中に少なくとも１つの順方向リンクチャネルを前記加入者局に割当てるように構成されたアクセスネットワークにおける制御装置；および
前記制御装置に通信可能に接続され、前記割当てについての情報を送信するように構成されるセクタ。
【請求項２６】
前記制御装置は、サイレント期間中に少なくとも１つの順方向リンクチャネルを前記加入者局に割当てるように構成されることにより、サイレント期間中に少なくとも１つの順方向リンクチャネルを前記加入者局に割当てる；前記少なくとも１つの順方向リンクチャネルは、ポイントツーポイントサービスおよびポイントツーマルチポイントサービスに関連する情報によって変調される、請求項２５に請求される装置。
【請求項２７】
前記制御装置は、ポイントツーポイントサービスに関連する情報により変調される少なくとも１つの順方向リンクチャネルを割当て；および
ポイントツーマルチポイントサービスに関連する情報により変調される少なくとも１つの順方向リンクチャネルを割当てるように構成されることにより、サイレント期間中に少なくとも１つの順方向リンクチャネルを前記加入者局に割当てる、請求項２５に請求される装置。
【請求項２８】
前記制御装置は、アクティブ期間に少なくとも１つの順方向リンク共有チャネルをグループに属する加入者局に割当て、前記順方向リンク共有チャネルは、ユーザデータおよび制御データにより変調されるように構成されることにより、アクティブ期間に少なくとも１つの順方向リンク共有チャネルをグループに属する加入者局に割当てる、請求項２５に請求される装置。
【請求項２９】
前記制御装置は、アクティブ期間に順方向リンク専用チャネルを前記加入者局の各々に割当てるようにさらに構成される、請求項２５に請求される装置。
【請求項３０】
前記制御装置は、アクティブ期間に少なくとも１つの順方向リンク共有チャネルをグループに属する加入者局に割当て；前記順方向リンク共有チャネルは、ユーザデータにより変調されるように構成されることにより、アクティブ期間に、少なくとも１つの順方向リンク共有チャネルをグループに属する加入者局に割当て；および
前記制御装置は、アクティブ期間に順方向リンク専用チャネルを加入者局の各々に割当て；前記順方向リンク専用チャネルは制御データにより変調されるように構成されることにより、アクティブ期間に、順方向リンク専用チャネルを加入者局の各々に割当てる、請求項２９に請求される装置。
【請求項３１】
下記を具備する、通信システムにおけるチャネル管理のための装置：
アクティブ期間に、少なくとも１つの逆方向リンク専用チャネルをグループに属する各加入者局に割当てるように構成されたアクセスネットワークにおける制御装置；および
前記割当てられた少なくとも１つの逆方向リンク専用チャネルをユーザデータおよび制御データにより変調するように構成された前記グループに属するアクティブ加入者局。
【請求項３２】
前記少なくとも１つの逆方向リンク専用チャネルを制御データにより変調するように構成された、前記グループに属する受動加入者局をさらに具備する、請求項３１に請求される装置。
【請求項３３】
下記を具備する通信システムにおけるチャネル管理のための装置：
少なくとも１つの逆方向リンク専用チャネルをグループに属するアクティブ加入者局に割当て；および
少なくとも１つの逆方向リンク共通チャネルを前記グループに属する受動加入者局に割当てるように構成されたアクセスネットワークにおける制御装置；および
前記制御装置と通信可能に接続され、前記割当てについての情報を送信するように構成されたセクタ。
【請求項３４】
前記少なくとも１つの逆方向リンク専用チャネルをユーザデータおよび制御データにより変調するように構成された、前記グループに属するアクティブ加入者局をさらに具備する、請求項３３に請求される装置。
【請求項３５】
前記少なくとも１つの逆方向リンク共通チャネルを制御データにより変調するように構成された、前記グループに属する受動加入者局をさらに具備する、請求項３３に請求される装置。
【請求項３６】
前記少なくとも１つの逆方向リンクチャネルを、逆方向リンクチャネル割当てのための要求により変調し；および
前記割当てられた逆方向リンクチャネルを制御データにより変調するように構成された、前記グループに属する受動加入者局をさらに具備する、請求項３３に請求される装置。
【発明の詳細な説明】
【技術分野】
【０００１】
背景
クロスリファレンス
［１００１］この発明は、有線または無線通信システムにおけるポイント・ツー・マルチポイントサービスに関する。特に、この発明は通信システムにおけるそのようなポイント・ツー・マルチポイントサービスにおけるチャネル管理のための方法および装置に関する。
【背景技術】
【０００２】
背景
［１００２］通信システムは、開始局から物理的に異なったあて先局に情報信号の送信を可能にするために発展してきた。通信チャネルを介して開始局から情報信号を送信する際に、情報信号は、最初に、通信チャネルを介した効率的な送信のために適した形式に変換される。情報信号の変換または変調は、結果として生じた変調された搬送波が通信チャネル帯域幅内に制限されるような方法で情報信号に従って、搬送波のパラメータを変化させることを含む。あて先局において、オリジナル情報信号は、通信チャネルを介して受信した変調されたキャリア波から複製される。そのような複製は、一般に、開始局により採用された変調プロセスの逆を用いることにより達成される。
【０００３】
［１００３］変調はまた、マルチアクセス、すなわち、通信チャネルを介していくつかの信号の同時の送信および／または受信を容易にする。マルチアクセス通信システムはしばしば、共通通信チャネルへの連続的なアクセスよりもむしろ相対的に短期間の断続使用を必要とする複数の遠隔加入者端末を含む。いくつかのマルチアクセス技術は、時分割多重アクセス（ＴＤＭＡ）、周波数分割多重アクセス（ＦＤＭＡ）、振幅変調多重アクセス（ＡＭ）のように技術的に知られている。もうひとつのタイプのマルチアクセス技術は、「デュアルモード広帯域スペクトラム拡散セルラシステムのためのＴＩＡ／ＥＩＡ／ＩＳ−９５移動局−基地局互換標準」（以下、ＩＳ−９５標準と呼ぶ）に準拠する符号分割多重アクセス（ＣＤＭＡ）スペクトラム拡散システムである。多重アクセス通信システムにおけるＣＤＭＡ技術の使用は、この発明の譲受人に譲渡された、米国特許第４，９０１，３０７（発明の名称：「衛星または地上リピータを用いたスペクトラム拡散多重アクセス通信システム」(SPREAD SPECTRUM MULTIPLE-ACCESS COMMUNICATION SYSTEM USING SATELLITE OR TERRESTRIAL REPEATERS)）および米国特許第５，１０３，４５９（発明の名称：「ＣＤＭＡセルラ電話システムにおいて波形を発生するためのシステムおよび方法」(SYSTEM AND METHOD FOR GENERATING WEAVEFORMS IN A CDMA CELLULAR TELEPHONE SYSTEM)）に開示されている。
【０００４】
［１００４］多重アクセス通信システムは、無線または有線であってよく、音声および／またはデータを運ぶことができる。音声およびデータの両方を運ぶ通信システムの一例は、ＩＳ−９５標準に従うシステムである。ＩＳ−９５標準は、通信チャネルを介して音声およびデータを送信する仕様を定める。固定サイズの符号チャネルフレームにおいて、データを送信するための方法は、この発明の譲受人に譲渡された、米国特許第５，５０４，７７３号（発明の名称：「送信のためのデータのフォーマッティングのための方法および装置」(METHOD AND APPARATUS FOR THE FORMATTING OF DATA FOR TRANSMISSION)に記載されている。ＩＳ−９５標準に従って、データまたは音声は、１４．４Ｋｂｐｓのデータレートを有した２０ミリ秒の幅である符号チャネルフレームに分割される。音声とデータの両方を運ぶ通信システムのさらなる例は、ドキュメント番号３Ｇ  ＴＳ  ２５．２１１、３Ｇ  ＴＳ  ２５．２１２、３Ｇ  ＴＳ  ２５．２１３および３Ｇ  ＴＳ  ２５．２１４（Ｗ−ＣＤＭＡ標準）または「ｃｄｍａ２０００スペクトラム拡散システムのためのＴＲ−４５．５物理層標準（ＩＳ−２０００標準）を含むドキュメントのセットに具現化された「第三世代パートナーシッププロジェクト」（３ＧＰＰ）に準拠する通信システムを含む。
【０００５】
［１００５］多重アクセス通信システムにおいて、ユーザ間の通信は１つ以上の基地局を介して行なわれる。一方の加入者局の第１のユーザは、データを逆方向リンクを介して基地局に送信することにより、第２の加入者局の第２のユーザと通信する。基地局はそのデータを受信し、そのデータを他の基地局に送ることができる。データは、同じ基地局または他の基地局の順方向リンクを介して第２の加入者局に送信される。同様に、移動加入者局の第１のユーザと陸線局の第２のユーザとの間で通信を行なうことができる。基地局は、逆方向リンクを介してユーザからのデータを受信し、そのデータを公衆交換電話網（ＰＳＴＮ）を介して第２のユーザに送る。
【０００６】
［１００６］上述した無線通信サービスはポイント・ツー・ポイント通信サービスの一例である。対照的にポイント・ツー・マルチポイントサービスは、情報源により供給される情報が複数のユーザに向けられているサービスである。ポイント・ツー・マルチポイント通信システムの基本モデルは加入者局上のユーザの集合からなり、加入者局のグループは、有線または無線ネットワークを介して１つ以上の情報源から情報を受信する。ソースが固定的に情報コンテンツ、例えばニュース、映画、スポーツイベント等を決定するポイント・ツー・マルチポイントサービスにおいて、ユーザは一般には、戻って通信しない。一般にリソースを節約するために、ポイント・ツー・マルチポイントサービスに参加している各ユーザの加入者局（メンバー加入者局）は、情報により変調された共有チャネルを監視する。そのようなポイント・ツー・マルチポイントサービスは、ブロードキャストまたはマルチキャストと呼ばれ、その共通使用の例は、ＴＶ放送、ラジオ放送等からなる。あるいは、情報源は１ユーザ、グループの１メンバーであり、グループの残りのメンバーに向けて情報を送信する。ユーザが話したければ、プッシュツートーク（ＰＴＴ）ボタンを押す。一般に、話しかけているユーザの音声は、専用の逆方向リンクチャネルを介して加入者局からネットワークに送られる。ネットワークは次に、話かけているユーザの音声を、順方向リンク共有チャネルを介して送信する。ポイント・ツー・ポイント通信システムの場合のように、そのような通信システムは、陸線加入者局および無線加入者局の両方がシステムをアクセス可能にする。そのような、ポイント・ツー・マルチポイントサービスはまたグループサービスとも呼ばれる。グループサービス通信システム使用の例は、地元警察無線システム、タクシー派遣システム、諜報およびシークレットサービスオペレーションの連邦局、および一般的な軍用通信システムのようなディスパッチサービスにある。
【０００７】
［１００７］上述したポイント・ツー・マルチポイントサービス通信システムは一般に、高度に専門化した専用の通信システムである。無線セルラ電話システムにおける近年の進歩とともに、ポイント・ツー・マルチポイントサービスのために、主に、ポイント・ツー・ポイントセルラ電話システムの既存のインフラストラクチャを利用する関心があった。ここで使用されるように、「セルラ」システムという用語は、セルラおよびパーソナル通信システム（ＰＣＳ）周波数の両方で動作するシステムを含む。
【０００８】
［１００８］上述したように、リソースを節約するために、一般に、ポイント・ツー・マルチポイントサービスは、すべてのメンバーユーザにより監視される共有順方向リンクチャネルを割当てることに依存する。それにひきかえ、無線セルラ電話システムは、基地局または、そのカバー領域が通信することを望んでいるユーザを含むセクタ間に専用の順方向リンクチャネルおよび逆方向リンクチャネルを割当てる。無線セルラ電話システムによりサポートすることができるそのような専用の順方向リンクチャネルおよび逆方向リンクチャネルの制限された数のために、専用の順方向リンクチャネルおよび逆方向リンクチャネルを介して供給されるポイント・ツー・マルチポイントサービスに参加することのできるメンバーの数は制限される。さらに、グループサービスと電話サービスの両方が、無線セルラ電話システムにおいて可能であることが要求される。それゆえ、無線セルラ電話システムの既存のインフラストラクチャを利用するグループサービスと電話サービスの両方を可能にするそのようなチャネル管理のための方法および装置のための技術的必要性がある。
【発明の開示】
【課題を解決するための手段】
【０００９】
［１００９］この発明の一つの観点において、アクティブ期間に、グループに属する各加入者局に、共有順方向チャネルを割当て；および、サイレント期間に、グループに属する各加入者局に順方向チャネルを割当てることを具備する、通信システムにおけるチャネル管理によって、上述の必要性に対処する。
【００１０】
［１０１０］この発明の他の観点において、動作中の期間に、グループに属する各加入者局に専用の逆方向チャネルを割当て；そのグループに属する有効な加入者局に基づいて、ユーザデータと制御データにより、専用の逆方向チャネルを変調し；およびそのグループに属する活動的でない加入者局にもとづいて、制御データにより、専用の逆方向チャネルを変調することを具備する、通信システムにおけるチャネル管理によって上述した必要性に対処する。
【００１１】
［１０１１］この発明のさらなる観点において、グループに属する加入者局による送信のための要求により逆方向リンクチャネルを変調し；および加入者局により監視される順方向リンクチャネルを介して送信するための要求に対する応答を受信することにより、上述した必要性に対処する。使用される逆方向リンクチャネルおよび加入者局により監視される順方向リンクチャネルは、ポイント・ツー・マルチポイントサービスの活動の状態、例えば沈黙期と作動期に依存する。応答は、逆方向リンクチャネル割当ておよび送信するための明白な許可からなる。
【００１２】
［１０１２］この発明のさらなる観点において、ポイント・ツー・マルチポイント活動、例えば、サイレンと期とアクティブ期に従って、監視される異なる順方向リンクと、メンバー移動局により使用される逆方向リンクを割当てることにより、上述した必要性に対処する。
【発明を実施するための最良の形態】
【００１３】
［１０１４］「例示的な」という文言は、ここでは、もっぱら、「例、事例、または例証として取り扱う」ことを意味するために使用される。ここには、最良の実施の形態が含まれるが、「例示的」として記載される実施の形態は、他の実施の形態に対して、好適であるまたは利点があると必ずしも解釈されない。
【００１４】
［１０１５］用語ポイントツーポイント通信は、ここでは、専用順方向通信チャネルおよび専用逆方向通信チャネルを介した２つの加入者局間の通信を意味するために用いられる。
【００１５】
［１０１６］ポイントツーマルチポイント通信サービスは、ここでは、複数の加入者局が、一般に、ひとつのソースから通信を受信する通信を意味するために用いられる。そのようなサービスは、例えばソースが加入者局であるグループサービス、ソースが中央局であるブロードキャストサービス、または受取人が複数の加入者局のサブセットから構成されるマルチキャストサービスから構成することができる。
【００１６】
［１０１７］用語アクセスネットワークは、ここでは、基地局および１つ以上の基地局のコントローラの収集を意味するために用いられる。アクセスネットワークは、複数の加入者局間でデータを運ぶ。アクセスネットワークは、企業内イントラネットまたはインターネットのようなアクセスネットワーク外のさらなるネットワークに接続することができ、各アクセス端末とそのような外部のネットワークとの間でデータを運ぶことができる。
【００１７】
［１０１８］用語基地局はここでは、加入者局が通信するハードウエアを意味するために用いられる。セルは、その言葉が使用される文中の言葉の前後関係に応じてハードウエアまたは地理的カバー領域に言及する。セクタはセルの区画である。セクタはセルの属性を有するので、基地局／セルの観点から記載された開示は容易にセクタに拡張される。
【００１８】
［１０１９］用語加入者局はここでは、アクセスネットワークが通信するハードウエアを意味するために用いられる。加入者局は可動性のものであってもよいし、固定であってもよい。加入者局は、無線チャネルを介して、または有線チャネルを介して、例えば光ファイバまたは同軸ケーブルを用いて通信するいかなるデータ装置であってもよい。加入者局はまた、これに限定されないが、ＰＣカード、コンパクトフラッシュ、外部または内部モデム、無線または有線電話を含む多数のタイプの装置のいずれかであってよい。基地局を有した有効トラヒックチャネル接続を確立するプロセス内にある加入者局は、接続セットアップ状態にあるといわれる。
【００１９】
［１０２０］用語物理チャネルは、ここでは、変調特性および符号化の観点から記載した信号が伝搬する通信経路を意味するために用いられる。
【００２０】
［１０２１］用語論理チャネルはここでは、基地局または加入者局のいずれかのプロトコル層内の通信経路を意味するために用いられる。
【００２１】
［１０２２］用語通信チャネル／リンクはここでは、文中の言葉の前後関係に従って、物理チャネルまたは論理チャネルを意味するために用いられる。
【００２２】
［１０２３］用語逆方向チャネル／リンクはここでは、それを介して加入者局が信号を基地局に送信する通信チャネル／リンクを意味するために用いられる。
【００２３】
［１０２４］順方向チャネル／リンクはここでは、それを介して基地局が加入者局に信号を送信する通信チャネル／リンクを意味するために用いられる。
【００２４】
［１０２５］用語ソフトハンドオフはここでは、加入者局と２以上のセクタとの間の通信を意味するために用いられ、各セクタは異なるセルに属する。逆方向リンク通信は、両方のセクタにより受信され、順方向リンク通信は、２以上のセクタの順方向リンク上で同時に実行される。
【００２５】
［１０２６］用語ソフタハンドオフ(softer hand-off)はここでは、加入者局と、各セクタが同じセルに属する２以上のセクタとの間の通信を意味するために用いられる。逆方向リンク通信は、両方のセクタにより受信され、順方向リンク通信は、２以上のセクタの順方向リンクの一方で同時に実行される。
【００２６】
［１０２７］用語パンクチャは第１のサイズの第１の情報内容を、第１のサイズの第２の情報内容に交換することを意味するために用いられる。
【００２７】
［１０２８］専用チャネルはここでは、個々の加入者局に特有な情報により変調されたチャネルを意味するために用いられる。
【００２８】
［１０２９］用語共通チャネルは、ここでは、すべての加入者局の間で共有される情報により変調されたチャネルを意味するために用いられる。
【００２９】
［１０３０］用語ユーザデータまたはペイロードはここでは、制御データ以外のデータを意味するために用いられる。
【００３０】
［１０３１］用語制御データは、ここでは、通信システム内のエンティティのデータイネーブル動作を意味するために用いられる。制御データは、例えば呼保守シグナリング、診断および報告情報等から構成される。
【００３１】
明細書本文
［１０３２］図１は、この発明の一実施の形態に従って、ポイントツーマルチポイントサービスを供給することができる通信システム１００の概念図を図解する。指導目的のために、以下の記述はグループサービスを図解するが、当業者は、開示した概念をどのように他のポイントツーマルチポイントサービスに適用するかを理解する。（呼び出し）グループは呼び出しグループを確立するために十分な頻度で互いに話をする加入者局のユーザから構成されるグループのメンバシップにより定義される。メンバがアイドル状態でもなければアクティブ状態でもないとき、例えばすべてのメンバーが呼び出しグループの参加していないとき、または、加入者局の電源をオフにしているとき、呼び出しグループはスリープ状態にあると言われる。少なくとも１つのメンバがグループに参加しているとき、呼び出しグループはアイドル状態にある。少なくとも２つのメンバーの一方がグループ呼び出しを開始しているとき、呼び出しグループはアクティブ状態にある。グループ呼び出しアクティブ期間とサイレント期間に分かれる。長いアイドル期間を伴わずに、メンバー間で送信があるとき、グループ呼び出しはアクティブ期間にある。長いアイドル期間に続く期間、メンバーがいかなるトラヒックも送信しないとき、グループ呼び出しはサイレント期間にある。
【００３２】
［１０３３］アクティブ期間において、加入者局上のグループユーザ、例えば加入者局１０２（１）は、基地局１０４とコントローラ１１０からなるアクセスネットワークを介して加入者局１０２（２）乃至１０２（５）上の他のグループユーザにユーザ情報（音声またはデータ）を通信する。簡単のために、用語「メンバー加入者局」は、そうでないと言わない限り、ここでは、「加入者局のグループユーザ」を意味するために用いられる。基地局１０４は迂回中継１１２によりコントローラ１１０に接続される。用語迂回中継は、コントローラと基地局との間の通信リンクを意味するために用いられる。迂回中継１１２は、例えば、マイクロ波、または有線Ｅ１またはＴ１、光ファイバ、および当業者に知られた他の接続タイプを含む多数の接続タイプで実施することができる。コントローラ１１０はインターフェースユニット１１４に接続される。インターフェースユニット１１４は、通信システムを他のサービス（図示せず）、例えば公衆交換電話網（ＰＳＴＮ）、パケットデータサービングノード（ＰＤＳＮ）および当業者に知られている他のサービスと、インターフェースする。
【００３３】
［１０３４］メンバー加入局、例えば加入局１０２（１）がユーザデータを逆方向リンクを介してグループに送信したいとき、メンバー加入者局は、逆方向リンクの割当てと送信の許可を要求する必要がある。個々のセクタ、セクタからなる基地局、コントローラにおける制御ユニット、またはアクセスネットワークからなるその他のエレメントは、そのチャネル割当てを担う。従ってメンバー加入者局は、加入者局により監視される順方向リンクチャネルを介してその割当てが与えられる。逆方向リンクは、逆方向リンクチャネルに分割される。メンバー加入者局１０２（１）に逆方向リンクチャネル１０８（１）が割当てられると、加入者局１０２（１）は情報を基地局１０４（１）に送信することができる。そのような送信メンバー加入者局は、アクティブメンバーまたは話者と呼ばれる。基地局１０４（１）は受信した情報を基地局１０４（２）および１０４（３）に送り、受信した情報を順方向リンク共有チャネル１０６（１）を介して加入者局１０２（２）に送信する。基地局１０４（２）および１０４（３）は送られた情報を順方向リンク共有チャネル１０６（２）および１０６（３）に送信する。アクティブメンバー加入者局１０２（１）から情報を受信するために、アクティブグループのすべてのメンバー加入者局、すなわち加入者局１０２（１）乃至１０２（５）は、アクティブグループ呼び出しの期間、個々の基地局１０４の順方向リンク共有チャネル１０６を監視するために割当てられる。一般に、それぞれの基地局１０４（１）、１０４（２）、および１０４（３）により割当てられた順方向リンク共有チャネル１０６（１）、１０６（２）、１０６（３）は互いに異なる。しかしながら、重畳するカバー領域に位置するメンバー加入者局１０２の受信を改良可能にするために、順方向リンク共有チャネル１０６は、１つ以上のセクタまたは基地局１０４により同期的に送信してもよい。重畳カバー領域における順方向リンク共通共有チャネルの改良された受信のための方法は、この発明の譲受人に譲渡され、２００１年８月２０日に出願された同時係属出願シリアル番号０９／９３３，６０７（発明の名称：「ブロードキャスト通信システムにおけるハンドオフのための方法およびシステム」(METHOD AND SYSTEM FOR A HANDOFF IN A BROADCAST COMMUNICATION SYSTEM）に記載されている。当業者は、領域をサービスする基地局はセクタ化できることを認識する。従って、用語、セクタと基地局は、そうでないことを明示しないかぎり、交換できるように使用される。
【００３４】
［１０３５］一実施の形態において、順方向リンク共有チャネル１０６はメンバー加入者局に向けられたユーザ情報および制御データにより変調される。制御データとしては、例えばシグナリング情報、電力制御情報、および当業者に知られた通信システムのエンティティの動作に必要な他のタイプの情報がある。しかしながら、順方向リンク共有チャネルの容量が限られているので、呼び出し情報および呼び出し保守情報の両方による変調を防止することができる。従って、他の実施の形態において、ユーザー情報のみが順方向リンク共有チャネル１０６に送信され、制御データは、以下、制御／シグナリング順方向リンクチャネルと呼ぶさらなる順方向リンクチャネル上で変調してもよい。その場合、各メンバー加入者局１０２は、順方向リンク共有チャネルに加えて、制御／シグナリング順方向リンクチャネルを監視しなければならない。そのような制御／シグナリングチャネルは、専用チャネル又は共通チャネルであってよい。
【００３５】
［１０３６］アクティブ期間が終了すると、すなわち、メンバー加入者局１０２（１）が通信を終了し、他のメンバー加入者局１０２が第１の決定された時間期間、通信を開始しないと、サイレント期間が始まる。容量の浪費を低減するために、メンバー加入者局１０２は、順方向リンク共有チャネル１０６、およびもし監視していれば、制御／シグナリング順方向リンクチャネルを監視することを中止し、決定された順方向リンクチャネルを監視することを開始し、したがって、休眠状態に遷移する。一実施の形態において、順方向リンク共有チャネル１０６の送信を中止することができる。用語休眠状態は、ここでは、メンバー加入者局１０２がその状態から所定の決定された手続きに従って、順方向リンク共有チャネルモニタリングへ遷移する状態を意味する。そのようなあらかじめ決定された手続きは、ステートマシンとして実施することができる。グループ通信活動が無い第２の決定された時間期間の後、メンバー加入者局１０２は、休眠状態からアイドル状態に遷移する。アイドル状態において、メンバー加入者局１０２は、決定された順方向リンクチャネルを監視するが、順方向リンク共有チャネル監視への遷移は、休眠状態から順方向リンク共有チャネル監視への遷移のための所定の手続きとは異なる所定の手続きに従って、実行される。さらに、メンバー加入者局１０２がグループ呼び出しが終了したことを知るなら、メンバー加入者局１０２は、アイドル状態に直接遷移することができる。他の実施の形態において、メンバー加入者局１０２は、基地局１０４を介して、制御エンティティによって、適切な状態に遷移するように命令される。
【００３６】
［１０３７］サイレント期間が終了し、アクティブ期間が開始すると、メンバー加入者局１０２は、休眠状態またはアイドル状態から順方向リンク共有チャネル１０６に遷移する。メンバー加入者局１０２は、休眠状態またはアイドル状態において、メンバー加入者局１０２により監視される順方向リンクチャネルに、基地局１０４を介して送信されたシグナリングメッセージによりアクティブ期間の開始について知らされる。
【００３７】
［１０３８］上述した概念のアプリケーションは、ＩＳ−２０００標準に従う、通信システムの場合について、以下にさらに詳細に説明する。ＩＳ−２０００標準に従う通信システムに特有のチャネルが、指導目的のための以下の文において用いられるが、当業者は、上述した概念を他の標準に従う通信システムのチャネルに適用することができるであろう。
【００３８】
順方向リンクチャネル割当て
［１０３９］複数のユーザがユーザ通信（音声またはデータ）を受信可能にしながら、容量を最大にし、電力を最小にするために、アクティブグループ呼び出しの期間、アクティブグループのメンバーには、個々のセクタの順方向リンク共有チャネルが割当てられる。すなわち、メンバー加入者局は、順方向リンク共有チャネル上で変調されたデータをメンバー加入者局が受信可能にする情報が与えられる。一実施の形態において、ＩＳ−２０００標準に従う通信システムにおいて、順方向リンク共有チャネルは、順方向補足チャネル（Ｆ−ＳＣＨ）から構成される。順方向補足チャネルは、ユーザデータと制御データの両方により変調され、セクタのカバー領域内のメンバー加入者局により共有される。メンバー加入者局がアクティブグループに加わると、制御エンティティは、適当なセクタを介して、有限または無限の期間、共有Ｆ−ＳＣＨ（ｓ）を監視（復調）するために、メンバー加入者局を割当てる。そのような割当ては、割当てメッセージを、アイドル状態または休眠状態において、加入者局が監視するチャネルに送ることにより達成される。共有Ｆ−ＳＣＨ（ｓ）は簡単のために固定レートモードで動作してもよいし、または、より柔軟性のために可変レートモードで動作してもよい。可変モードという用語は、ここでは、通知することなく、同意済みのデータレートのセット内でデータレートを変更できることを意味する。
【００３９】
［１０４０］一度、メンバー加入者局がＦ−ＳＣＨ（ｓ）監視していると、その呼を維持するために必要な制御データ、例えば、パイロット強度測定メッセージ、ハンドオフ指示メッセージ、ハンドオフ完了メッセージ、および当業者に知られている他のメッセージ、およびグループ呼び出しに関連する制御データも、Ｆ−ＳＣＨ（ｓ）に送ることができる。グループ呼び出しに関連するメッセージは、例えば、グループ呼び出しの開始と終了、送信するための権利の要求と許可、および当業者に知られた他のメッセージから構成することができる。Ｆ−ＳＣＨ（ｓ）は、共有チャネルなので、適切な加入者局アドレス情報を採用しなければならない。従って、メンバー加入者局は、特定のメンバー加入者局に向けられた専用情報からすべてのメンバー加入者局に向けられた共有情報を識別することができる。制御データメッセージおよび否定的にアドレスするメンバー加入者局のオーバーヘッドは、Ｆ−ＳＣＨの容量を有するユーザデータに影響を与える。それゆえ、もう一つの方法として、制御データメッセージは、制御／シグナリング順方向リンクチャネル（チャネル群）で運ばれる。
【００４０】
［１０４１］一実施の形態において、ＩＳ−２０００標準に従う通信システムにおいて、制御エンティティがセクタを介して個々のメンバー加入者局に割当てる制御／シグナリング順方向リンクチャネルは、順方向専用制御チャネル（Ｆ−ＤＣＣＨ）から構成される。他の制御データメッセージに加えて、Ｆ−ＤＣＣＨは、逆方向リンクチャネルに送信するメンバー加入者局の送信電力レベルを制御する逆方向リンク電力制御コマンドにより変調することができる。電力制御コマンドは、Ｆ−ＤＣＣＨにパンクチュアドされる順方向電力制御サブチャネル（Ｆ−ＰＣＳＣＨ）から構成される。パンクチュアドという用語はここでは、Ｆ−ＤＣＣＨコマンドの代わりに、逆方向リンク電力制御コマンドを送信することを意味するために用いられる。Ｆ−ＤＣＣＨにシグナリング負荷が無いとき、Ｆ−ＰＣＳＣＨのみが送信され、従って殆ど電力と容量を消費しない。しかしながら、この発明の譲受人に譲渡され、２００２年３月２８日に出願された同時係属出願シリアル番号ＸＸ／ＸＸＸ，ＸＸＸ（発明の名称：「通信システムに供給されるポイントツーマルチポイントサービスのための電力制御」(POWER CONTROL FOR POINT-TO-MULTIPOINT SERVICES PROVIDED IN COMMUNICATION SYSTEM)に開示されるような、ポイントツーマルチポイントサービス通信システムのための他の電力制御方法も考えられる。
【００４１】
［１０４２］もう一つの方法として、ＩＳ−２０００標準に従う通信システムにおいて、制御エンティティがセクタを介して個々のメンバー加入者局に割当てる、制御／シグナリング順方向リンクチャネルは、順方向共通制御チャネル（Ｆ−ＣＣＨ）、順方向ブロードキャストチャネル（Ｆ−ＢＣＣＨ）、または、Ｆ−ＣＣＣＨとＦ−ＢＣＣＨとの組合せから構成される。従って、メンバー加入者局のためのシグナリングメッセージは、Ｆ−ＣＣＣＨ／Ｆ−ＢＣＣＨ上で変調される。さらに、逆方向リンクチャネルを送信するメンバー加入者局の送信電力レベルを制御する逆方向リンク電力制御コマンドは、順方向共通電力制御チャネル（Ｆ−ＣＰＣＣＨ）上で変調することができる。Ｆ−ＣＣＣＨ／Ｆ−ＢＣＣＨにシグナリング負荷がないとき、Ｆ−ＣＰＣＣＨのみが送信され、従って、わずかな電力と容量が消費される。Ｆ−ＣＰＣＣＨの使用は、この発明の譲受人に譲渡され、２００２年３月２８日に出願された上述した同時係属出願シリアル番号ＸＸ／ＸＸＸ，ＸＸＸ（発明の名称：「通信システムに供給されるポイントツーマルチポイントサービスのための電力制御」(POWER CONTROL FOR POINT-TO-MULTIPOINT SERVICES PROVIDED IN COMMUNICATION SYSTEM)に開示される。
【００４２】
［１０４３］メンバー加入者局は、送信セクタに、サービスの質について通知することができる。従って、一実施の形態において、順方向リンク共有チャネルを変調する共通情報がエラーで受信されたとき、メンバー加入者局は送信セクタにそのエラーについて通知することができ、情報を再送信することができる。ＩＳ−２０００標準に従う通信システムにおいて、逆方向強化アクセスチャネル（Ｒ−ＥＡＣＨ）はサービスの質の報告のために使用することができる。一実施の形態において、再送信は、順方向リンク共有チャネル上で生じる。他の実施の形態において、再送信は、メンバー加入者局に割当てられた制御／シグナリング順方向リンクチャネル、例えばＦ−ＤＣＣＨ、Ｆ−ＣＣＣＨ、Ｆ−ＢＣＣＨ上で生じる。これは、再送信により生じた時間遅延および遅延変化がそのアプリケーションにとって許容できるなら実現可能である。再送信に関する詳細は、この発明の譲受人に譲渡された、２００１年７月２日に出願された同時係属出願シリアル番号第０９／９８９，３４７（発明の名称：「ブロードキャスト通信システムにおけるフレーム再送信のためのシステムおよび方法」(SYSTEM AND METHOD FOR FRAME RE-TRANSMISSION IN A BROADCAST COMMUNICATION SYSTEM)）に開示されている。
【００４３】
［１０４４］他の実施の形態において、順方向リンク共有チャネルは、Ｆ−ＣＣＣＨ、Ｆ−ＢＣＣＨ、またはＦ−ＣＣＨおよびＦ−ＢＣＣＨの組合せから構成される。メンバー加入局はグループ呼び出しのために、Ｆ−ＣＣＣＨｓおよびＦ−ＢＣＣＨｓを共有することができ、非メンバー加入局は、ページングのために、Ｆ−ＣＣＣＨｓおよびＦ−ＢＣＣＨｓを監視する。グループ読み出しのために割当てられたＦ−ＣＣＣＨ（ｓ）およびＦ−ＢＣＣＨ（ｓ）は簡単のために固定レートモードで動作することもできるし、または、より柔軟性を得るために、可変レートモードで動作することもできる。Ｆ−ＣＣＣＨとＦ−ＢＣＣＨは共通チャネルなので、個々の加入者局に向けられた情報からメンバー加入者局を対象とした共有情報を加入者局が識別できるように、情報をアドレスする適切な加入者局を採用しなければならない。
【００４４】
［１０４５］アドレスオーバーヘッドを回避するために、一実施の形態において、Ｆ−ＣＣＣＨｓとＦ−ＢＣＣＨｓは分割することができ、セクタ内のＦ−ＣＣＣＨｓとＦ−ＢＣＣＨｓのいくつかは、ポイントツーマルチポイントサービスのためのメンバー加入者局のための順方向リンク共有チャネルとして指定され、残りのＦ−ＣＣＣＨｓおよびＦ−ＢＣＣＨｓは非メンバー加入者局のページングのために排他的に指定される。
【００４５】
［１０４６］上述したように、シグナリングメッセージと、否定的にアドレスする加入者局のオーバーヘッドは、順方向リンク共有チャネルのトラヒック容量に影響を与える。それゆえ、もう一つの方法として、シグナリングメッセージは、制御／シグナリング順方向リンクチャネルを介して運ばれる。従って、セクタまたは基地局内のＦ−ＣＣＣＨおよびＦ−ＢＣＣＨのいくつかが、ポイントツーマルチポイントサービスのための順方向リンク共有チャネルとして割当てられるとき、さらなるＦ−ＣＣＣＨおよびさらなるＦ−ＣＣＣＨに関連する順方向クイックページングチャネル（Ｆ−ＱＰＣＨ）をページングのために利用することができ、さらなるＦ−ＢＣＣＨをポイントツーマルチポイントサービスシグナリングに利用することができる。メンバー加入者局は、順方向リンク共有チャネルおよびシグナリングＦ−ＢＣＣＨとしてグループに割当てられたＦ−ＣＣＣＨ（ｓ）およびＦ−ＢＣＣＨ（ｓ）を連続的に監視する。さらに、メンバー加入者局は、ページング情報のためにＦ−ＱＰＣＨに関連するＦ−ＣＣＣＨを監視する必要があるかどうかを判断するために、Ｆ−ＱＰＣＨ上のスロットを監視するように割当てられる。そのような、Ｆ−ＱＰＣＨおよび関連するＦ−ＣＣＣＨの使用は、ＩＳ−２０００に完全に記載されており、従って当業者に知られている。
【００４６】
［１０４７］アクティブなメンバー加入者局が基地局と通信するとき、一実施の形態において、逆方向リンク電力コマンドは、順方向リンク共有チャネル、すなわちＦ−ＣＣＣＨ／Ｆ−ＢＣＣＨを介して送信される。他の実施の形態において、メンバー加入者局と非メンバー加入者局の両方のための逆方向リンク電力コマンドは、Ｆ−ＰＣＳＣＨ上で変調される。逆方向リンク電力コマンドを正しく解釈するために、各個々の加入者局は、加入者局に割当てられたＦ−ＰＣＳＣＨ上の電力制御コマンドの異なるサブストリームを監視する。もう一つの方法として、セクタまたは基地局内のＦ−ＰＣＳＣＨｓのいくつかは、メンバー加入者局のみに対して割当てられ、他方、他のＦ−ＣＰＣＣＨｓは非メンバー加入者局に対して割当てられる。この場合もやはり、各個々の加入者局は、割当てられたＦ−ＰＣＳＣＨｓ上の電力制御コマンドの異なるサブストリームを監視するように割当てられる。Ｆ−ＣＰＣＣＨの使用は、この発明の譲受人に譲渡され、２００２年３月２８日に出願された上述した同時係属出願シリアル番号ＸＸ／ＸＸＸ，ＸＸＸ（発明の名称：「通信システムにおけるポイントツーマルチポイントサービスにおける電力制御のための方法および装置」(METHOD AND APPARATUS FOR A POWER CONTROL IN A POINT-TO-MULTIPOINT SERVIFCES IN A COMMUNICATION SYSTEM))に開示される。
【００４７】
［１０４８］メンバー加入者局は送信セクタに、サービスの質（ＱｏＳ）について知らせることができる。従って、一実施の形態において、順方向リンク共有チャネルＦ−ＣＣＣＨ（ｓ）またはＦ−ＢＣＣＨ（ｓ）を変調する共通情報がメンバー加入者局によりエラーで受信されるとき、メンバー加入者局は、逆方向強化アクセスチャネル（Ｒ−ＥＡＣＨ）を用いて送信セクタにエラーについて知らせることができ、情報を再送信することができる。再送信はグループ呼び出しＦ−ＣＣＣＨ（ｓ）またはＦ−ＢＣＣＨ（ｓ）で行なうことができる。再送信によって生じる時間遅延および遅延変化がそのアプリケーションにとって許容可能であるとき、実現可能である。再送信についての詳細は、この発明の譲受人に譲渡され、２００１年７月２日に出願された、上述の同時係属出願シリアル番号０９／８９８，３４７（発明の名称：「ブロードキャスト通信システムにおけるフレーム再送信のためのシステムおよび方法」(SYSTEM AND METHOD FOR FRAME RE-TRANSMISSION IN A BROADCAST COMMUNICATION SYSTEM)に開示される。
【００４８】
逆方向リンクチャネル割当て
［１０４９］上述したように、一般に、一つの加入者局のみが一時に逆方向リンクを介して送信する。従って、受動的なメンバー加入者局は、逆方向リンクを介していずれのセクタにもデータを送信しないけれども、受動的なメンバー加入者局は、呼の保守のために必要な情報、例えば、ハンドオフメッセージ、電力制御情報、および当業者に知られた他の情報をセクタに通信するために逆方向リンクを用いる必要があるかもしれない。ここで、用いられる受動的という用語は、順方向リンク共有チャネル、およびグループ呼び出しに必要であるが、逆方向リンクチャネルにユーザデータを送信しない制御／シグナリング順方向リンクチャネルを監視するメンバー加入者局を意味する。さらに、受動メンバー加入者局は、あるデータを通信したいかもしれない。それゆえ、受動的メンバー加入者局は、逆方向トラヒックチャネル割当てを要求するための手段を必要とする。従って、受動的メンバー加入者局は、逆方向リンクチャネルを割当てる必要がある。
【００４９】
［１０５０］一実施の形態に従って、制御エンティティは、アクティブグループが参加する際に、セクタを介して、各個々のメンバー加入者局に、ＩＳ−２０００標準に従う通信システムにおいては、逆方向専用制御チャネル（Ｒ−ＤＣＣＨ）を構成する逆方向専用チャネルを割当てる。受動的メンバー加入者局は、通常の呼び出し（例えば、順方向リンクパイロットの報告）のための制御データの送信、およびグループ呼び出しに関する制御データ（例えば、順方向リンクブロードキャストチャネルの品質測定基準の報告、逆方向リンクトラヒックチャネル割当てのための要求）を送信するために、Ｒ−ＤＣＣＨを使用する。アクティブメンバー局はさらにユーザデータを送信するために、Ｒ−ＤＣＣＨを使用する。Ｒ−ＤＣＣＨを送信すると、メンバー加入者局はまた逆方向パイロットチャネル（Ｒ−ＰＩＣＨ）および逆方向電力制御サブチャネル（Ｒ−ＰＣＳＣＨ）を送信する。Ｒ−ＰＣＳＣＨは、順方向リンク共有チャネルの品質測定基準に関するフィードバックを運ぶ。
【００５０】
［１０５１］Ｒ−ＤＣＣＨは制御データのみにより変調されるので、そのような情報を送信する必要が無い期間がある。従って、受動的メンバー加入者局は、Ｒ−ＤＣＣＨの送信を中止することができ、Ｒ−ＰＣＳＣＨと多重化されたＲ−ＰＩＣＨのみを送信する。そのような動作モードは、ＩＳ−２０００標準に記載されている。
【００５１】
［１０５２］非活動の期間が所定の間隔を超えるなら、Ｒ−ＰＩＣＨ／Ｒ−ＰＣＳＣＨをゲート制御することにより、電力および容量消費のさらなる低減を達成することができる。ここで使用されるゲートという用語は、所定の電力制御グループ（ＰＣＧ）においてのみＲ−ＰＩＣＨ／Ｒ−ＰＣＳＣＨの送信をアクティブにすることを意味する。さらに、正確な逆方向リンク電力制御の必要性が重要でないので、セクタにおける電力測定の周波数が減少するので、逆方向制御電力コマンドを運ぶＦ−ＣＰＣＣＨ上の対応するサブストリームに関するデータレートは低減される。Ｆ−ＣＰＣＣＨに関するレートの低減は、ゲート制御されたメンバー加入者局にＦ−ＣＰＣＣＨ上の低いレートサブストリームを割当てるか、または多重ゲート制御メンバー加入者局により、より高いレートのサブストリームを共有することにより、達成される。
【００５２】
［１０５３］さらに、電力制御コマンドを送信する必要が無いなら、Ｒ−ＰＣＳＣＨの送信を中止することができる。何故ならＩＳ−２０００標準に従えば、加入者局からの唯一必要な送信はＲ−ＰＩＣＨである。すなわち、Ｒ−ＰＩＣＨは、多重化されたＲ−ＰＣＳＣＨを伴わずに連続的に送信される。さらに、Ｒ−ＰＩＣＨ／Ｒ−ＰＣＳＣＨ上の送信は、一緒に停止させることができる。これは、対応するＦ−ＣＰＣＣＨ上のサブストリームを停止させる。
【００５３】
［１０５４］さらに、２つの方法の組合せを使用することができる。そのような方法において、メンバー加入者局は第１の非活動間隔の後にゲート制御されたＲ−ＰＩＣＨ／Ｒ−ＰＣＳＣＨ送信を開始させ、第２の非活動間隔の後にＲ−ＰＩＣＨ／Ｒ−ＰＣＳＣＨ送信を停止させる。対応するＦ−ＣＰＣＣＨのデータレートはそれに応じて減少される。
【００５４】
［１０５５］Ｒ−ＤＣＣＨ上でゲートされたまたは停止されたモードの期間、メンバー加入者局が制御データシグナリングメッセージをセクタに送信する必要があるなら、最初のシグナリングメッセージの送信はゲート制御を終了する。すなわち、シグナリングメッセージの期間、Ｒ−ＰＩＣＨ、Ｒ−ＰＣＳＣＨ、およびＲ−ＤＣＣＨは連続的に作動される。シグナリングメッセージが送信されると、加入者局は、上述したように、ゲートされたモードまたは停止されたモードに戻る。さらに、加入者局信号を取得する際に、セクタを支援するために、恐らく高められた電力レベルで、プリアンブルとして、Ｒ−ＤＣＣＨより先に、Ｒ−ＰＩＣＨをアクティブにすることができる。
【００５５】
［１０５６］代わりの実施の形態において、アクティブなメンバー加入者局のみが、専用逆方向リンク、例えばＲ−ＤＣＣＨを割当てられる。受動的なメンバー加入者局は、専用逆方向リンクチャネルが割当てられない。その代わり、受動的なメンバー加入者局は、基本アクセス、予約アクセス、および電力制御アクセスを用いて、必要なとき、逆方向リンクシグナリングに対して、逆方向強化アクセスチャネルＲ−ＥＡＣＨを使用する。基本アクセス、予約アクセス、および電力制御アクセスは、ＩＳ−２０００標準に定義されており、それゆえ、当業者には周知である。
【００５６】
［１０５７］基本アクセスモードによれば、メンバー加入者局はランダムにＲ−ＥＡＣＨを選択し、Ｒ−ＰＩＣＨ上の増加された電力を有したプリアンブルを送信し、次に、Ｒ−ＥＡＣＨ上のメッセージが続く。従って、メンバー加入者局はアクノレジメントのために順方向リンク共有チャネルを監視し、アクノレジメントを受信すると、Ｒ−ＥＡＣＨ上の送信を開始する。
【００５７】
［１０５８］予約アクセスによれば、メンバー加入者局は、ランダムにＲ−ＥＡＣＨを選択し、アクセスの試みの損失を生じるかもしれない、Ｒ−ＥＡＣＨ上の他のアクセスの試みとの衝突の確率を低減するために、Ｒ−ＥＡＣＨ上のセクタに短いヘッダを送信する。セクタは、逆方向共通制御チャネル（Ｒ−ＣＣＣＨ）をメンバー加入者局に割当てるために、順方共通割当てチャネル（Ｆ−ＣＡＣＨ）上に早期アクノレジメントチャネル割当てメッセージ（ＥＡＣＡＭ）を送信する。次に、メンバー加入者局は、ＥＡＣＡＭのために、順方向リンク共有チャネルを監視し、ＥＡＣＡＭを受信すると、Ｒ−ＣＣＣＨ上の送信を開始する。
【００５８】
［１０５９］代わりの実施の形態において、メンバー加入者局は、電力制御アクセスモード（ＰＣＡＭ）でＲ−ＥＡＣＨ上に送信する。ＰＣＡＭにおいて、アクセス手続きは予約アクセスと同様であり、順方向共通電力制御チャネル（Ｆ−ＣＰＣＣＨ）上のＲ−ＥＡＣＨを獲得すると、Ｒ−ＥＡＣＨ上の送信は、基地局により送信された専用電力制御ビットにより電力制御される。
【００５９】
グループへの送信
［１０６０］メンバー加入者局が音声またはデータをグループに送信したいとき、メンバー加入者局は、逆方向チャネルが割当てられる必要があり、送信の許可を受信する必要がある。
【００６０】
［１０６１］上述したように、一実施の形態において、各メンバー加入者局は、アクティブグループに加わると、制御データ、例えばＲ−ＤＣＣＨを送信するために、逆方向リンクチャネルが割当てられる。グループの活動が終了すると、メンバー加入者局は、制御データを送信する必要が無い。それゆえ、所定の期間のグループ呼び出しの無活動の後で、メンバー加入者局は、逆方向リンクチャネルを解放し、通信システムのアクセスのために使用される異なる逆方向リンクチャネルの監視を開始する。一実施の形態において、メンバー加入者局は逆方向アクセスチャネル（Ｒ−ＡＣＨ）または逆方向強化アクセスチャネル（Ｒ−ＥＡＣＨ）を監視する。従って、所定の期間を超えない無活動を有するアクティブグループ呼び出しにおいて、メンバー加入者局がユーザデータを送信する必要があるとき、制御データシグナリングメッセージが、Ｒ−ＤＣＣＨを介して、メンバー加入者局からセクタに送信される。メンバー加入者局がＲ−ＤＣＣＨを解放したなら、メンバー加入者局は制御データシグナリングメッセージをＲ−ＡＣＨまたはＲ−ＥＡＣＨ上に送信する。
【００６１】
［１０６２］一実施の形態において、制御データシグナリングメッセージは、送信するための許可の要求である。要求を受信すると、セクタは、メンバー加入者局が受信している順方向リンクチャネルを介して送信のための許可を発行する。上述したように、サイレンと期間が所定の間隔を越えると、メンバー加入者局は、順方向リンク共有チャネル、およびもし監視しているなら、制御／シグナリング順方向リンクチャネルの監視を停止し、決定された順方向リンクチャネルの監視を開始し、次に、休眠状態に遷移する。それゆえ、所定の無活動期間を超えない最近のグループ活動があるなら、メンバー加入者局は、順方向リンク共有チャネルまたは、制御／シグナリング順方向リンクチャネルを監視する。従って、許可が、順方向リンク共有チャネルまたは制御／シグナリング順方向リンクチャネルに発行される。メンバー加入者局が順方向リンク共有チャネルおよび制御／シグナリング順方向リンクチャネルを解放したなら、許可が、メンバー加入者局により監視される順方向リンクチャネルに発行される。この場合、すべてのメンバー加入者局には、セクタにおいて、順方向リンク共有チャネルを監視するためにおよび使用されていれば制御／シグナリング順方向チャネルの監視を開始するために、シグナリングメッセージがさらに送られなければならない。
【００６２】
［１０６３］メンバー加入者局がＲ−ＤＣＣＨを使用するための許可を受信すると、逆方向リンクチャネル、例えばＲ−ＤＣＣＨ上で逆方向リンクを行なうことができる。あるいは、その通信のために割当てられた逆方向リンクチャネルは、例えば、逆方向共通制御チャネル（Ｒ−ＣＣＣＨ）、逆方向基礎チャネル（Ｒ−ＦＣＨ）、または逆方向補足チャネル（Ｒ−ＳＣＨ）から構成してもよい。
【００６３】
［１０６４］Ｒ−ＳＣＨの割当ては、無限大であり得る。メンバー加入者局がＲ−ＤＣＣＨを介してセクタに、通信が完了したことを知らせたとき、または、所定時間、メンバー加入者局からの送信の中止を検出したとき、その割当ては取り消される。従って、基地局は、Ｒ−ＳＣＨをそのグループに送信を所望する他のメンバー基地局に割当てることができる。いつなんどきでも送信しているメンバー加入者局はせいぜい１つなので、グループ呼び出しをサポートするために、アクティブなメンバー加入者局を含むすべてのセクタにおいて、せいぜい１つのＲ−０ＳＣＨがあるであろう。
【００６４】
［１０６５］上述したように、一実施の形態において、メンバー加入者局には、個々のＲ−ＤＣＣＨｓが割当てられず、必要なときは、逆方向シグナリングおよび通信のために、Ｒ−ＥＡＣＨを使用する。従って、送信するための許可の要求は、Ｒ−ＥＡＣＨまたはＲ−ＥＡＣＨおよびＲ−ＣＣＣＨを用いて送信される。Ｒ−ＥＡＣＨまたはＲ−ＥＡＣＨ／Ｒ−ＣＣＣＨは、ＩＳ−２０００標準において定義されるように、基本アクセスモード、予約アクセスモードおよび電力制御アクセスモードにおいて使用される。
【００６５】
［１０６６］要求を受信すると、基地局は、メンバー加入者局にＲ−ＦＣＨ、Ｒ−ＤＣＣＨ、またはＲ−ＳＣＨを割当て、メンバー加入者局が監視する順方向チャネルを介して送信を開始するための許可を発行する。それゆえ、最近のグループ活動があり、メンバー加入者局が順方向リンクブロードキャストチャネルを監視しているなら、順方向リンクブロードキャストチャネル、例えば、メンバー加入者局により監視されるＦ−ＳＣＨ、Ｆ−ＣＣＣＨ／Ｆ−ＢＣＣＨまたはＦ−ＤＣＣＨ上に、許可が発行される。メンバー加入者局が順方向リンク共有チャネルまたはＦ−ＤＣＣＨを解放したなら、許可が、Ｆ−ＰＣＨ、Ｆ−ＣＣＣＨ上に発行される。この場合、すべてのメンバー加入者局には、さらに、それらのセクタにおいて順方向リンクブロードキャストチャネルおよびもし使用されていれば、制御／シグナリング順方向チャネルを監視することを開始するために、シグナリングメッセージが送られねばならない。
【００６６】
［１０６７］送信することを所望するメンバー加入者局がＲ−ＦＣＨまたはＲ−ＤＣＣＨを許可するなら、ＩＳ−２０００標準に従うＲ−ＦＣＨまたはＲ−ＤＣＣＨのセットアップまたは解放の手続きを適用する。アクティブメンバー加入者局とシステムとの間のシグナリングは、割当てられたＲ−ＦＣＨまたはＲ−ＤＣＣＨ、またはＲ−ＥＡＣＨ／Ｆ−ＣＣＣＨに生じる。
【００６７】
［１０６８］送信を所望するメンバー加入者局にＲ−ＣＣＣＨが許可されたなら、、他のメンバー加入者局との衝突を回避するために所定期間セクタによりメンバー加入者局に排他的にＲ−ＣＣＣＨを割当てることができる。あるいは、効率を改善するために、Ｒ−ＣＣＣＨを共有化することができる。
【００６８】
［１０６９］送信を所望するメンバー加入者局にＲ−ＳＣＨが許可されるなら、Ｒ−ＳＣＨは、所定期間そのセクタによりメンバー加入者局に排他的に割当てられる。ユーザデータ送信のために、Ｒ−ＳＣＨの割当てを無限大にすることができる。メンバー加入者局が、Ｒ−ＥＡＣＨを介してセクタに、会話のセグメントが完了したことを通知するとき、または、これ以上メンバー加入者局からの送信をセクタが検出しないとき、その割当ては終了する。セクタは、Ｒ−ＳＣＨ上に送信するために、他のメンバー加入者局を割当てることができる。
【００６９】
［１０７０］あるいは、しきい値より短いグループへの送信は、要求許可交換なしにＲ−ＥＡＣＨ上に生じる。基本アクセス、予約アクセス、および電力制御アクセスはこれらのチャネルの使用のための３つの例示実施の形態であり、ＩＳ−２０００標準に定義される。この実施の形態において、メンバー加入者局からの、しきい値より長いグループへの送信は、要求許可交換が続く必要がある。
【００７０】
［１０７１］上述の実施の形態において、メンバー加入者局が割当てられた逆方向リンクチャネル上に送信を開始することができる前に、メンバー加入者局は、要求を送信し、許可を受信しなければならない。チャネル割当ておよび送信のための許可は２つの異なる要求である必要は無い。逆方向チャネル割当ては、低い層、例えばセクタで生じ、送信するための許可は、高い層、例えばグループ呼び出しマネージャで生じる。それゆえ、一実施の形態において、メンバー加入者局はチャネル割当てがあると、送信を開始することができ、これは、送信するための許可が与えられたことを意味する。
【００７１】
［１０７２］容量の消費を低減するために、メンバー加入者局はアクティブグループ呼び出しの期間に順方向リンク共有チャネルに割当てられるのみである。それゆえ、セクタとメンバー加入者局はサイレント期間の開始を決定することができなければならない。サイレント期間という用語はここでは、休眠状態またはアイドル状態を識別するために使用される。サイレント期間は、例えば、所定の期間そのグループへの送信のための要求が無い場合、またはグループ呼び出しのための所定のスケジュールが満了した場合に開始する。一実施の形態において、判断は、アクセスネットワークにより行なわれ、メンバー加入者局に通信される。あるいは、メンバー加入者局は長期間の非活動からサイレンと期間の開始を決定し、セクタに知らせるまたは知らせずに、自立的に休眠／アイドルモードに遷移する。他の代わりの実施の形態において、メンバー加入者局並びにアクセスネットワークは、個々のスケジュールに基づいてサイレント期間に遷移する。
【００７２】
［１０７３］一度サイレント期間の開始が決定されると、メンバー加入者局は、スロットモード動作に切り替わり、周期的にグループ呼び出し関連共通チャネルまたは任意に供給することができる共通チャネル関連クイックページングチャネル（ＱＰＣＨｓ）を監視するだけである。
【００７３】
［１０７４］あるいは、メンバー加入者局は、メンバー加入者局が定期的に監視するであろうページングチャネルに遷移する。（Ｆ−ＰＣＨまたはＦ−ＣＣＣＨとＦ−ＢＣＣＨとの組合せ、は各々情況に応じて、ＱＰＣＨと関連づけられる）。
【００７４】
［１０７５］メンバー加入者局がアクティブ期間にＦ−ＳＣＨおよびＦ−ＤＣＣＨを監視しているなら、メンバー加入者局は、サイレント期間にＦ−ＤＣＣＨを監視する。
【００７５】
［１０７６］第３の他の実施の形態において、グループ活動のために、グループ呼び出しに関連したＦ−ＣＣＣＨ（ｓ）およびＦ−ＢＣＣＨ（ｓ）を監視するために、および定期的なページングとメッセージングのためにＦ−ＣＣＣＨまたはＦ−ＣＣＣＨ／Ｆ−ＢＣＣＨのペアを監視するために、制御エンティティはセクタを介してメンバー加入者局を割当てる。
【００７６】
［１０７７］第４の代わりの実施の形態において、グループ活動のためにＦ−ＣＣＣＨ（ｓ）とＦ−ＢＣＣＨ（ｓ）のセットを監視するために、定期的ページングのためにＦ−ＣＣＣＨを監視するために、定期的ページングのＦ−ＣＣＣＨと関連づけられたＱＰＣＨを監視するために、およびポイントツーマルチポイントサービスシグナリングのためにＦ−ＢＣＣＨを監視するために、制御エンティティはセクタを介してメンバー加入者局を割当てる。メンバー加入者局は、その割当てられた定期的ページングＦ−ＣＣＣＨも監視する必要があるかどうかを判断するために、グループＦ−ＣＣＣＨ（ｓ）およびＦ−ＢＣＣＨ（ｓ）並びに、Ｆ−ＢＣＣＨおよびそのメンバー加入者局のためにＱＰＣＨ上の（ＩＳ−２０００ではページングインジケータと呼ばれる）割当てられた位置を連続的に監視する。
【００７７】
アクティブ期間通知
［１０７８］アクティブ期間が開始すると、メンバー加入者局は、サイレンと期間において、メンバー加入者局により監視される順方向リンクチャネル上に送信されたメッセージを介して通知される。
【００７８】
［１０７９］一実施の形態において、アクティブ状態において、メンバー加入者局の各々に対して使用される順方向リンクチャネルは、順方向共通制御チャネル（Ｆ−ＣＣＣＨ）、順方向ブロードキャスト共通チャネル（Ｆ−ＢＣＣＨ）またはＦ−ＣＣＣＨとＦ−ＢＣＣＨの両方である。
【００７９】
［１０８０］一実施の形態において、すべてのＦ−ＣＣＣＨｓおよびＦ−ＢＣＣＨｓはグループ呼び出しのためのメンバー加入者局によりおよび所定のセクタにおけるページングの必要性のための非メンバーにより共有される。これはこれらの順方向リンクチャネルを介して送信に適切なアドレス情報を持たせることにより達成される。
【００８０】
［１０８１］他の実施の形態において、セクタ内のいくつかのＦ−ＣＣＣＨｓおよびＦ−ＢＣＣＣＨｓはグループ呼び出し目的のために排他的に指定され、残りのＦ−ＣＣＣＨｓおよびＦ−ＢＣＣＨｓは非メンバー加入者局のページングに対して排他的に指定される。
【００８１】
［１０８２］種々の実施の形態がフローチャートおよび方法の観点から記載されたけれども、そのようなものは教育的な目的のためにのみ成されたことを当業者理解するであろう。この方法は、装置により実施することができる。一実施の形態において、装置は、送信器、受信器、およびＡＴおよ／またはＡＰの他の適当なブロックにインターフェースされるプロセッサから構成される。
【００８２】
［１０８３］情報および信号は、いろいろな異なる技術および技法のいずれかを用いて表すことができることを当業者は理解するであろう。例えば、上述した記述全体を通して参照されるかもしれないデータ、命令、コマンド、情報、信号、ビット、記号、およびチップは、電圧、電流、電磁波、磁界、磁性粒子、光学界、または光学粒子またはそれらの組合せにより表すことができる。
【００８３】
［１０８４］当業者はさらに、ここに開示した実施の形態に関連して記載した種々の実例となる論理ブロック、モジュール、回路、およびアルゴリズムステップは、電子ハードウエア、コンピュータソフトウエアまたは両方の組合せで実施できることを理解するであろう。このハードウエアとソフトウエアの互換性を明瞭に説明するために、種々の実例となる部品、ブロック、モジュール、回路、およびステップが一般にそれらの機能性の観点から上に記載された。そのような機能性がハードウエアまたはソフトウエアとして実現されるかは特定のアプリケーションおよび全体のシステムに課せられた設計制約に依存する。熟達した職人は、各特定のアプリケーションに対して記載した機能性を変形した方法で実施することができるが、そのような実施の判断は、この発明の範囲を逸脱するものとして解釈されるべきでない。
【００８４】
［１０８５］ここに開示された実施の形態に関連して記載された種々の実例となる論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタロジック、ディスクリートハードウエアコンポーネント、またはここに記載した機能を実行するように設計されたいずれかの組合せを用いて実施または実行することができる。汎用プロセッサは、マイクロプロセッサであってよいが、別の方法では、プロセッサは、いずれかの一般的なプロセッサ、コントローラ、マイクロコントローラ、またはステートマシンであってよい。プロセッサはまた、計算装置の組合せとしても実施できる。例えば、ＤＳＰとマイクロプロセッサの組合せ、複数のマイクロプロセッサ、ＤＳＰコアと協力した１つ以上のマイクロプロセッサまたはいずれかの他のそのような構成として実施することもできる。
【００８５】
［１０８６］ここに開示された実施の形態に関連して記載された方法またはアルゴリズムのステップは、ハードウエアにおいて、プロセッサにより実行されるソフトウエアモジュールにおいて、または両者の組合せにおいて直接具現化することができる。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、脱着可能ディスク、ＣＤ−ＲＯＭ、または技術的に知られているその他のいずれかの形態の記憶媒体に存在することができる。例示記憶媒体は、プロセッサに接続される。そのようなプロセッサは記憶媒体から情報を読み出し、記憶媒体に情報を書き込むことができる。別の方法では、記憶媒体は、プロセッサに集積可能である。プロセッサと記憶媒体はＡＳＩＣに存在してもよい。ＡＳＩＣはユーザ端末に存在してもよい。別の方法では、プロセッサと記憶媒体はユーザ端末内のディスクリートコンポーネントとして存在してもよい。
【００８６】
［１０８７］好適実施の形態の上述の記載は当業者がこの発明を製作または使用することを可能にするために提供される。これらの実施の形態に対する種々の変更は当業者には容易に明白であろう、そしてここに定義される包括的原理は発明力の使用なしに他の実施の形態に適用可能である。従って、この発明は、ここに示した実施の形態に限定されることを意図したものではなく、ここに開示した原理と新規な特徴に一致する最も広い範囲が許容されるべきである。
【００８７】
［１０８８］この特許文献の開示の一部は、著作権保護の対象になる物質を含む。著作権者は、特許文献または特許開示のいずれかをファクシミリ送信しても異議を申し立てるものではない。何故ならば、特許文献および特許の開示は、特許商標局の特許ファイルの中にあるからである、しかしその他に関してはどんなものであれ、すべての著作権を留保する。
【図面の簡単な説明】
【００８８】
【図１】［１０１３］図１は、ポイント・ツー・マルチポイントサービス通信システムに概念図を図解する。
【図１】
2004531937.tif 000003
【国際公開パンフレット】
2004531937.tif 000004
2004531937.tif 000005
2004531937.tif 000006
2004531937.tif 000007
2004531937.tif 000008
2004531937.tif 000009
2004531937.tif 000010
2004531937.tif 000011
2004531937.tif 000012
2004531937.tif 000013
2004531937.tif 000014
2004531937.tif 000015
2004531937.tif 000016
2004531937.tif 000017
2004531937.tif 000018
2004531937.tif 000019
2004531937.tif 000020
2004531937.tif 000021
2004531937.tif 000022
2004531937.tif 000023
2004531937.tif 000024
2004531937.tif 000025
2004531937.tif 000026
2004531937.tif 000027
2004531937.tif 000028
2004531937.tif 000029
2004531937.tif 000030
2004531937.tif 000031
2004531937.tif 000032
2004531937.tif 000033
2004531937.tif 000034
2004531937.tif 000035
2004531937.tif 000036
2004531937.tif 000037
2004531937.tif 000038
2004531937.tif 000039
【国際調査報告】
2004531937.tif 000040
2004531937.tif 000041